(57)【要約】【課題】グレーチングが開口に溜まった土などによって開口から開けにくくなることのないグレーチングを提供することにある。【解決手段】排水溝や升などの排水設備の受け部にグレーチングを載置した際に、路面に開口状態となる受け部とグレーチングとの隙間の開口幅に対応した鍔部を、隙間の開口を塞ぎ得る配置でグレーチングの周囲に設けたグレーチングであって、グレーチングの表裏に貫通する貫通穴を多数有すると共に、受け部に対応する箇所の貫通穴が覆われた、又は、省略されたことを特徴とする。【選択図】    図１
2004332203.tif 000002
【特許請求の範囲】
【請求項１】
排水溝や升などの排水設備の受け部にグレーチングを載置した際に、路面に開口状態となる前記受け部と前記グレーチングとの隙間の開口幅に対応した鍔部を、前記隙間の開口を塞ぎ得る配置で前記グレーチングの周囲に設けたことを特徴とするグレーチング。
【請求項２】
鍔部が、隙間の開口幅に対応した直径の丸棒をグレーチングの周囲に設けて形成されたことを特徴とする請求項１記載のグレーチング。
【請求項３】
排水溝や升などの排水設備の受け部に載置されると共に表裏に貫通する貫通穴を多数有するグレーチングであって、
前記受け部に対応する箇所の前記貫通穴が覆われた、又は、省略されたことを特徴とするグレーチング。
【請求項４】
排水溝や升などの排水設備の受け部にグレーチングを載置した際に、路面に開口状態となる前記受け部と前記グレーチングとの隙間の開口幅に対応した鍔部を、前記隙間の開口を塞ぎ得る配置で前記グレーチングの周囲に設けたグレーチングであって、
前記グレーチングの表裏に貫通する貫通穴を多数有すると共に、前記受け部に対応する箇所の前記貫通穴が覆われた、又は、省略されたことを特徴とするグレーチング。
【請求項５】
鍔部が、隙間の開口幅に対応した直径の丸棒をグレーチングの周囲に設けて形成されたことを特徴とする請求項４記載のグレーチング。
【発明の詳細な説明】
【０００１】
【発明の属する技術分野】
この発明は、排水溝や升などの排水設備の受け部に載置するグレーチングの改良に関し、詳しくは、グレーチングと受け部との隙間に詰まった土でグレーチングが開けにくくなる様なことを防ぐことのできるグレーチングに関する。
【０００２】
【従来の技術】
一般に、排水溝や升などの排水設備には点検の為、或いは排水を流し込む為の開口が設けられていて、一般には路面に開口状態となっている。そして開口に蓋されてこの蓋が路面の一部を成しているのが一般的であり、その為に開口にはこの様な蓋を載置する受け部が形成されおり、ここにコンクリート蓋や鉄製の蓋を載置しており、これにグレーチングを用いる場合がある。
【０００３】
このグレーチングは、多数のベアリングバーを左右のエンドバーで溶接して平板状を成すものであり、多くは上面にツイストバーが設けられていて、平面視すると格子状に見える。グレーチングは一般にはコンクリート蓋よりも厚みがないので、角パイプを下面に取り付け、コンクリート蓋と同じある。
【０００４】
このグレーチングは、図８に示す様に開口の受け部に載置されるのであるが、受け部はグレーチングの開閉作業を考慮して、グレーチングの外周形状よりも少し大きめに作ってあり、一般にはグレーチングと受け部側壁との隙間Ｇには、図９に示す様に７ｍｍ程度の間隔が空く様になっている。
【０００５】
また受け部側壁は、図９に示した様に、受け部の底に向けて僅かに先細りとなったテーパーに形成されているものと、テーパーには形成されず直立した側壁になったものとがある。
【０００６】
受け部側壁がテーパーになっている場合の一例として、受け部の幅Ｗが４００ｍｍ、深さＤが９５ｍｍのもので、受け部側壁は上端Ｐ１よりも下端Ｐ２が５ｍｍ（符号Ｌ）ほど狭くしてある。
【０００７】
このような排水設備の受け部にグレーチングを載置して、グレーチングの表裏に貫通して設けられた多数の貫通穴から雨水などの排水が流し込める様になっている。
【０００８】
【発明が解決しようとする課題】
ただ雨水などの他、土やゴミもこの開口に落ち込むこととなり、特に土が受け部分に詰まることがある。
【０００９】
例えば、受け部にグレーチングを載置した際に、路面に開口状態となって前記受け部と前記グレーチングとの間に生ずる隙間Ａに、例えば図９のＸ１の様に土が溜まり、時にはＸ２の様に隙間Ａの大半に詰まり、この土がグレーチングを受け部に接着したかの様に外し難くし、グレーチングが開け難くなることがある。くっつけなくても、隙間はグレーチングを開ける時の作業スペースを提供しているので、このスペースが無いこと自体が開け難くさになってもいる。
また例えば、グレーチングの貫通穴から落ち込む土は、受け部に対応する箇所にあっては図９のＸ３やＸ２の様にも溜まり、この土がやはりグレーチングを受け部にくっつけて外し難くし、グレーチングが開け難くなることがある。
【００１０】
以上の問題を鑑み、本願発明の目的とするところは、グレーチングが開口に溜まった土などによって開口から開けにくくなることのないグレーチングを提供することにある。
【００１１】
【課題を解決するための手段と発明の効果】
以上の課題を解決するため本願請求項１記載のグレーチングの発明は、排水溝や升などの排水設備の受け部にグレーチングを載置した際に、路面に開口状態となる前記受け部と前記グレーチングとの隙間の開口幅に対応した鍔部を、前記隙間の開口を塞ぎ得る配置で前記グレーチングの周囲に設けたことを特徴とする。
【００１２】
これにより、隙間の開口が鍔部で塞がれるので土の隙間への落ち込みが抑えられ、土が隙間に詰まったりせず、よってこの様な土でグレーチングが開け難くなることもない。
【００１３】
請求項２記載の発明は、鍔部が、隙間の開口幅に対応した直径の丸棒をグレーチングの周囲に設けて形成されたことを特徴とする。丸棒は、丸棒の長手方向をグレーチングの側面に沿わせた状態で丸棒が路面に付きでない配置がよい。
受け部の側壁は一般には、僅かにテーパーとなる様に形成されたものが主流である。これは排水設備をコンクリート成形する際の成形型の抜き勾配を考慮したものであり、またグレーチングの開閉作業を考慮したものでもある。
この様に受け部がこの様に受け部の底に向けてテーパーであると、鍔部は図７に示す様に特にその外周下端がこのテーパー面に近接することとなる。この様に近接するとグレーチングや開口部の寸法誤差に対して許容範囲が狭くなるなどする。これに対し、請求項２においては鍔部に丸棒を用いたので、鍔部とテーパー面との間隔Ｋが同じでも、鍔部はその外周下端に相当する部分が円弧形状となってテーパー面から離れた形状であるために、寸法誤差に対する許容範囲も広くなり、また仮に鍔部がこのテーパー面に当接してしまう様なことがあっても、円弧形状の部分が当接するので受け部側壁を傷つけることが少ない。
【００１４】
請求項３記載の発明は、排水溝や升などの排水設備の受け部に載置されると共に表裏に貫通する貫通穴を多数有するグレーチングであって、
前記受け部に対応する箇所の前記貫通穴が覆われた、又は、省略されたことを特徴とする。
【００１５】
つまり受け部に対応する貫通穴を何らかの方法で覆えば、従来であればここから落ち込み或いは流れ込んでいた土がなくなり、受け部に溜まることもなくなるので、これによってもグレーチングが開け難くなることもない。
【００１６】
貫通穴を覆うとはグレーチングの上面なり下面なりに板を張るなどして覆うことに例示されるが、これにかぎらない。貫通穴を省略するとは、グレーチングはその「受け部に対応する箇所」にはベアリングバーなどを設けるのではなく、何らかの異なった構成で最初から貫通穴のない状態に形成するのである。
【００１７】
請求項４記載の発明は、請求項１及び請求項３の特徴を併せ持つ様にしたものであり、隙間に開口部からはいる土も、貫通穴から入って受け部に溜まる土も阻止することができる様になっていて、グレーチングの受け部へのくっつきをなくし、或いはグレーチングと受け部との間の隙間を確保してグレーチングを開ける際の作業スペースを確保することができる。
【００１８】
請求項５記載の発明は、鍔部が、隙間の開口幅に対応した直径の丸棒をグレーチングの周囲に設けて形成されたことを特徴とするものであり、請求項２に同様の作用が得られる。
【００１９】
【発明の実施の形態】
次ぎに本願発明のグレーチングの実施例を説明する。
【００２０】
このグレーチング１０は、図１に示す様に同一形状のベアリングバー１１を多数平行状態にして、これらの両端をエンドバー１２で溶接し、また上面にはベアリングバーに直角にめり込ませた状態で溶接されたツイストバー１３が配置されている。グレーチング１０の下面の左右には角パイプ１４，１４が溶接してある。角パイプ１４，１４の下にはゴム１４ａ，１４ａが設けてある。
【００２１】
グレーチング１０の側面１５は、図２に示す様にベアリングバー１１ａとエンドバー１２で形成されているが、この四辺をなす側面１５には、これに４辺の長さとほぼ同一の鋼材による丸棒１６が溶接してある。丸棒１６は直径６ｍｍでありグレーチング１０の上面とほぼ面一となる様にしてある。これによりグレーチング１０は、図３に示す様に周囲上端に鍔部を設けた形態となる。
【００２２】
エンドバー１２は断面Ｌ字状に形成されており、ベアリングバー１２の下角を包む様に配置されている。つまりエンドバー１２は、図４の１２ａに示す様にグレーチング下面の左右両側を覆う状態になっている。
又この左右両側を覆う底板部１２ａは、その幅が受け部２０の幅Ｗ１に対応させてある。
【００２３】
このグレーチングを、従来技術の説明で言及した図８〜９の受け部と同様にテーパーになった排水設備に用いると、図５〜６に示す様になる。即ち、従来であれば路面に開口していたグレーチングと受け部側壁との７ｍｍの隙間は、直径６ｍｍの丸棒によりほとんどが覆われた状態となるのであり、これにより路上の土が隙間に入ることを防ぐことができる。これにより隙間Ａには土が溜まらなくなる。
【００２４】
またエンドバーの底板部は受け部の幅Ｗ１に対応する幅になっているので、グレーチングの左右両サイドから受け部の上に落ちる土が底板部の溜まり、受け部には溜まらなくなるのである。
【００２５】
以上により、土が隙間Ａや受け部２０に溜まることが極力抑えられることとなり、よってグレーチングを開ける時にも、スムーズに開けられる様になるのである。
【００２６】
なお受け部側面２１がテーパーであるので、丸棒１６の断面形状となる円弧が受け部側面２１と対面する状態となる。この点、仮に図７に示す様に、テーパー面２１ａとの間隔Ｋを丸棒の場合と同じにして角棒１６’（例えば６ｍｍ四角）を同様に設けると、テーパーとなった受け部側壁２１に対しては角棒１６’の下角１６ａが対峙することとなる。しかし、この下角１６ａとテーパー面２１ａとの僅かな間隔Ｋ１よりも、丸棒の場合の対応する間隔Ｋ２の方が広くなる。その為、受け部やグレーチングの大きさに誤差が生じた場合、角棒１６’であればその下角１６ａが受け部側壁２１のテーパー面２１ａに当接してしまう様な場合であっても、丸棒１６であれば下角の部分を逃がした形状になっていて間隔Ｋ２が広いので、当接が避けられるのである。つまり受け部２０とグレーチング１との隙間が予定した間隔より狭い様な場合であっても、丸棒であれば許容範囲が広いのである。
【００２７】
更にグレーチング１の載置作業などの際に、丸棒１６が受け部側壁２１に接触してしまう事があっても、受け部側壁２１と丸棒１６は円に対する接線の様な関係となり、角棒１６’であれば下角１６ａが受け部側壁２１に当たってコンクリート製の排水設備を傷付ける様な場面であっても、丸棒１６の円弧が接して傷つける事を避けることができる。
【００２８】
またグレーチングを側溝に配置する様な場合、グレーチングはコンクリート蓋数枚に１枚の割合で配置することが多いが、この場合、コンクリート蓋もグレーチングも隙間を空けずに詰めた状態で配置されるのが通常である。これは、側溝にこれらの蓋を並べてゆく場合、蓋同士に隙間のできない様に押し詰めながら並べ作業をしてゆく関係上、コンクリート蓋同士や、或いはコンクリート蓋とグレーチングとは、その側面が密着した状態になるのである。その為に、この密着によりグレーチングを開ける時には開けにくい原因となっていた。しかし、この様な場面に本願のグレーチングを用いると、コンクリート蓋の側面に接触するグレーチングは、その丸棒のみが密着することとなり、丸棒の下には丸棒の直径分の間隔が空き、従来の様なグレーチング側面が全面に亘って密着した状態を避けることができるので、この点でも開けやすくなる。
【００２９】
なお本願の発明は上記実施例に限るものではなく、本願発明の趣旨から逸脱しない範囲でどの様に実施してもよい。
【図面の簡単な説明】
【図１】この図は、実施例のグレーチングの斜視図である。
【図２】この図は、図１のグレーチングから丸棒を外した分解図である。
【図３】この図は、図１のグレーチングの正面図である。
【図４】この図は、図１のグレーチングの平面図である。
【図５】この図は、排水設備の受け部にグレーチングを載置した様子の説明図である。
【図６】この図は、受け部に載置されたグレーチングの部分拡大図である。
【図７】この図は、鍔部の断面形状が方形の場合と円形の場合での相異点を説明する図である。
【図８】この図は、従来のグレーチングの受け部との関係を説明する図である。
【図９】この図は、図８における受け部付近の拡大図である。
【符号の説明】
１０  グレーチング
１１  ベアリングバー
１２  エンドバー
１３  ツイストバー
１４  角パイプ
１５  側面
１６  鍔部としての丸棒
２０  受け部
２１  受け部側面
２１ａ  受け部側面としてのテーパー面
【図１】
2004332203.tif 000003
【図２】
2004332203.tif 000004
【図３】
2004332203.tif 000005
【図４】
2004332203.tif 000006
【図５】
2004332203.tif 000007
【図６】
2004332203.tif 000008
【図７】
2004332203.tif 000009
【図８】
2004332203.tif 000010
【図９】
2004332203.tif 000011